(57)【要約】      （修正有）【課題】容易に乳児の身体清潔とスキントラブルの早期発見、そして安全を確保出来て、また沐浴実施者の身体的負担が軽減される沐浴台を提供する。【解決手段】台枠１と編み目に内接する最大円の直径が２ｍｍ以上３ｍｍ未満の台枠に張り巡らされた網あるいは繊維ネット２と支脚とゴム４からなる沐浴台である。支脚は空洞を複数設けたステンレスポール３１と空洞を１カ所設けたステンレスポール３４の上下２つのステンレスポールから成り、２つのポールの空洞が重なる点を留め具３３で固定し、支持体下縁から支脚下縁までが１４ｃｍから１９ｃｍに調整することが出来る構成とした。【選択図】図３
0003223912.tif 000002
【実用新案登録請求の範囲】
【請求項１】
円環状の台枠と、この台枠のほぼ全面にトランポリン状に張設された網あるいは繊維ネットと、前記台枠の前後左右に固着された支脚からなる沐浴台。
【請求項２】
円環状の台枠と、この台枠のほぼ全面にトランポリン状に張設された、編み目に内接する最大円の直径が２ｍｍ以上３ｍｍ未満の網あるいは繊維ネットと、前記台枠の前後左右に固着された支脚からなる沐浴台。
【請求項３】
前記支脚は上下２つのステンレス製ポールから成り、前記２つのポール空洞が重なる点で固定され、前記台枠の下縁から支脚下縁までが１４ｃｍから１９ｃｍに調整可能とした請求項１または２記載の沐浴台。
【考案の詳細な説明】
【技術分野】
【０００１】  本考案は従来の沐浴具類と比して、沐浴技術に不慣れであっても、あるいは沐浴中に乳児が排泄しても乳児を安全かつ清潔に沐浴をするのに好適な沐浴台に関するものである。
【背景技術】
【０００２】  元来、沐浴は湯船につかることに着目されており、沐浴具類を使用しての沐浴は技術の習得が不可欠であった。
【先行技術文献】
【特許文献】
【０００３】
【特許文献１】特開昭５３−１３１１６９号  公報
【考案の概要】
【考案が解決しようとする課題】
【０００４】  特許文献１に記載のネットはトランポリン状である。乳児は動作が激しくネットの編み目の材質または大きさによっては、爪や指がこのトランポリン状のネットに引っかかる可能性がある。本考案はネットの編み目に制限を設け、前述の欠点を解決しようとするものである。【０００５】  上記文献の支脚は折りたたみまたは取り外しを可能としているが、風呂場での椅子の使用有無やキッチンシンクの種類によっては、高さが不十分である。本考案は支脚の高さ調整を可能とし、前述の欠点を解決しようとするものである。
【課題を解決するための手段】
【０００６】  円環状の台枠と、この台枠のほぼ全面にトランポリン状に張設された網あるいは繊維ネットと、前記台枠の前後左右に固着された支脚からなるものを特徴とする。ほぼ全面とは、台枠で囲まれる部分の面積の概ね８０％以上を指す。円環状の台枠はステンレスポールとゴムおよびポリエチレン発泡体で形成出来る。【０００７】  本考案は円環状の台枠と、この台枠のほぼ全面にトランポリン状に張設された、編み目に内接する最大円の直径が２ｍｍ以上３ｍｍ未満の網あるいは繊維ネットと、前記台枠の前後左右に固着された支脚からなるものを特徴とする。ネットは漁網で形成しても良い。【０００８】  さらに本考案は、支脚が上下２つのステンレス製ポールで構成され、２つのポールの空洞が重なる点で固定され、台枠下縁から支脚下縁までが１４ｃｍから１９ｃｍまで調整可能であることを特徴とする。支脚下部には滑り止めにゴムを使用する。これは、キッチンシンクの深さや風呂場での椅子の使用有無に対応し、沐浴実施者の体格に応じて容易に高さを変更する事が出来、沐浴実施者の身体的負担を軽減させる。
【考案の効果】
【０００９】  本考案は、安全で乳児の身体を沐浴台上で自由に動かせ、浴室以外でも簡単に沐浴させる事が出来るきわめて有効、適切な沐浴台である。編み目に内接する最大円の直径が２ｍｍ以上３ｍｍ未満のネットは乳児の体重や姿勢に合わせて沈み込み、横向きやうつぶせにしても乳児落下の危険性がない。乳児の背中を洗う場合には乳児の体を本沐浴台上で安全に回動して移動させ得るので、従来の沐浴具類とは異なり、マンパワーが不足していても実に具合よく全身を洗う事が可能である。スキントラブルの早期発見が出来且つ、乳児も沐浴実施者も安楽な姿勢で沐浴が出来る。また、正期産児の爪はおおよそ３ｍｍ以上であり、ネットの編み目に内接する最大円の直径が２ｍｍ以上３ｍｍ未満とした事により乳児の爪や指が引っかからない。ネットは乳児の体重や姿勢に合わせて沈み込み、乳児の安全を確実にし、水はけが改善された事で清潔を保つことができる。また本考案はネットで構成されているため通気性がよく、夏期には汗疹の予防、冬期にはバスタオルを使用し、沐浴台としてだけでなくベッドにも成り得る。家庭以外の公衆浴場などでも容易に使用出来る。そして災害時にも多くの湯を必要とせず沐浴が実施出来る。【００１０】  現在、浴室では椅子を使用する事がある。そして、シャワーは浴室だけでなくキッチンシンクでも使用でき沐浴可能である。本考案はキッチンシンクの深さや浴室での椅子の使用の有無に対応し、沐浴実施者の体格に応じて支脚の高さを台枠である支持体の下縁から支脚下縁までを１４ｃｍから１９ｃｍに調整する事が可能であり、沐浴実施者の身体的負担が軽減される。また本考案は、生後１ヶ月以降の乳児にも使用出来、沐浴実施者が同時に入浴し体を洗っている最中にも浴室内でのベッド代わりと成り、容易に寝かせる事が可能である。
【図面の簡単な説明】
【００１１】
【図１】（ａ）本考案の沐浴台の平面図である。（ｂ）ＡＡ’断面のＡ近傍を示す図である。（ｃ）ネット２の拡大図である。
【図２】本考案の沐浴台の側面図である。
【図３】本考案の支脚の分解図である。
【考案を実施するための形態】
【００１２】  １は空洞のあるステンレスポール１２の外側にゴムおよびポリエチレンの発泡体１３を巻き付けた気密、水密性が良好なものからなる。１の台枠は外側のゴムおよびポリエチレンの発泡体１３を巻き付けた状態で前後４１ｃｍ、左右６７ｃｍの楕円形、台枠の直径はステンレスポール１２にネット２を直播きしゴムおよびポリエチレンの発泡体１３を巻き付けた状態で３ｃｍを呈する。
【００１３】  ネット２はステンレスポール１２に直播きし、台枠全面にトランポリン状に張設する。ネット２はおおよそ６ｋｇの乳児をネット２に寝かせた場合に２〜３ｃｍほど沈み込むように張設するとよい。ステンレスポール１２の外側のゴムおよびポリエチレン発泡体１３は、外側からはめ込み、内側中央に切り込みがくるようステンレスポール１２に直播きしたネット２をカバーし接着する。
【００１４】  台枠１とネット２の総重量は乳児がネット上で自由に動いても転落の危険性が低く安定性を保持出来る６００ｇ〜７００ｇとし、支脚３とゴム４の４本含めても成人女性が軽く片手で持ち運べる１ｋｇ未満とする。
【００１５】  ３は２つのステンレスポール３１、３４から成り、台枠の前後に２本ずつ設けられている。留め具３３は合成樹脂からなる。３は下方の方が太くなっており、４は合成ゴム等適宜素材にて安定性を確保している。
【符号の説明】
【００１６】１  台枠
２  ネット
３  支脚
４  ゴム
１１  沐浴台
１２  ステンレスポール
１３  台枠カバー
３１  ステンレスポール
３２  調整穴
３３  留め具
３４  ステンレスポール
【図１】
0003223912.tif 000003
0003223912.tif 000004
【図２】
0003223912.tif 000005
【図３】
0003223912.tif 000006
【手続補正書】
【提出日】令和1年8月18日(2019.8.18)
【手続補正１】
【補正対象書類名】実用新案登録請求の範囲
【補正対象項目名】全文
【補正方法】変更
【補正の内容】
【実用新案登録請求の範囲】
【請求項１】
円環状の台枠と、この台枠のほぼ全面にトランポリン状に張設された網あるいは繊維ネットと、前記台枠の前後左右に固着された支脚からなる沐浴台。
【請求項２】
円環状の台枠と、この台枠のほぼ全面にトランポリン状に張設された、編み目に内接する最大円の直径が２ｍｍ以上３ｍｍ未満の網あるいは繊維ネットと、前記台枠の前後左右に固着された支脚からなる沐浴台。
【請求項３】
前記支脚は空洞のある上下２つのステンレス製ポールから成り、前記支脚は２つのポールの空洞が重なる点で固定され、前記台枠の下縁から支脚下縁までが１４ｃｍから１９ｃｍに調整可能とした請求項１または２記載の沐浴台。
【手続補正２】
【補正対象書類名】図面
【補正対象項目名】全図
【補正方法】変更
【補正の内容】
【図１】
0003223912.tif 000007
【図２】
0003223912.tif 000008
【図３】
0003223912.tif 000009